(57)【要約】【課題】画面上に表示された複数の情報に対する視認性を向上させる。【解決手段】生成部は、複数の表示オブジェクトと、複数の表示オブジェクトそれぞれの３次元表示位置を表す３次元表示位置情報を生成し、画像処理部は、生成部により生成された表示オブジェクトを、３次元表示位置情報に対応する３次元表示位置に表示させる。なお、生成部は、ユーザの操作に応じて、複数の表示オブジェクトのうち、少なくとも１以上の表示オブジェクトを選択し、選択した表示オブジェクトの３次元表示位置の奥行き成分を変更する。本開示は、例えば、３次元画像を表示部に表示させる表示制御装置や、３次元画像を表示する表示装置等に適用できる。【選択図】図１
2013003202.tif 000002
【特許請求の範囲】
【請求項１】
３次元画像の表示を制御する表示制御装置において、
複数の表示オブジェクトと、前記複数の表示オブジェクトそれぞれの３次元表示位置を表す３次元表示位置情報を生成する生成部と、
前記生成部により生成された前記表示オブジェクトを、前記３次元表示位置情報に対応する前記３次元表示位置に表示させる表示制御部と
を含み、
前記生成部は、ユーザの操作に応じて、前記複数の表示オブジェクトのうち、少なくとも１以上の前記表示オブジェクトを選択し、選択した前記表示オブジェクトの３次元表示位置の奥行き成分を変更する
表示制御装置。
【請求項２】
前記生成部は、前記ユーザの操作に応じて、前記複数の表示オブジェクトのうち、所定の条件を満たすコンテンツを表す前記表示オブジェクトを選択し、選択した前記表示オブジェクトの３次元表示位置の奥行き成分を変更する
請求項１に記載の表示制御装置。
【請求項３】
前記生成部は、前記ユーザの操作に応じて、前記複数の表示オブジェクトのうち、同一のジャンルに属する前記コンテンツを表す前記表示オブジェクトを選択し、選択した前記表示オブジェクトの３次元表示位置の奥行き成分を変更する
請求項２に記載の表示制御装置。
【請求項４】
前記生成部は、前記ユーザの操作に応じて、前記複数の表示オブジェクトのうち、同一の時間帯に放送される前記コンテンツを表す前記表示オブジェクトを選択し、選択した前記表示オブジェクトの３次元表示位置の奥行き成分を変更する
請求項２に記載の表示制御装置。
【請求項５】
前記生成部は、前記ユーザの操作に応じて、前記複数の表示オブジェクトのうち、コンテンツの状態が同一である前記コンテンツを表す前記表示オブジェクトを選択し、選択した前記表示オブジェクトの３次元表示位置の奥行き成分を変更する
請求項２に記載の表示制御装置。
【請求項６】
前記生成部は、前記ユーザの操作に応じて、前記複数の表示オブジェクトのうち、視聴中のコンテンツ、録画中のコンテンツ、又は録画の予約中のコンテンツのいずれかを表す前記表示オブジェクトを選択し、選択した前記表示オブジェクトの３次元表示位置の奥行き成分を変更する
請求項５に記載の表示制御装置。
【請求項７】
複数のコンテンツから、ユーザが所望のコンテンツを検索する検索部をさらに含み、
前記生成部は、前記検索部の検索結果として得られた前記コンテンツを表す前記表示オブジェクトを選択し、選択した前記表示オブジェクトの３次元表示位置の奥行き成分を変更する
請求項２に記載の表示制御装置。
【請求項８】
前記生成部は、前記複数の表示オブジェクトのうち、ユーザの選択操作により選択されている前記表示オブジェクトを選択し、選択した前記表示オブジェクトの３次元表示位置の奥行き成分を変更する
請求項１に記載の表示制御装置。
【請求項９】
前記生成部は、ユーザの操作に応じて、前記複数の表示オブジェクトのうち、３次元表示位置の水平成分及び垂直成分が同一の前記表示オブジェクトを選択し、選択した前記表示オブジェクトの３次元表示位置の奥行き成分を変更する
請求項１に記載の表示制御装置。
【請求項１０】
前記表示制御部は、３次元表示位置の水平成分及び垂直成分が同一である第１及び第２の前記表示オブジェクトのうち、前記第１の表示オブジェクトに、ユーザにより前記第１の表示オブジェクトが指定されたことに対応して表示される前記第２の表示オブジェクトを重畳して表示させる
請求項９に記載の表示制御装置。
【請求項１１】
３次元画像の表示を制御する表示制御装置の表示制御方法において、
前記表示制御装置による、
複数の表示オブジェクトと、前記複数の表示オブジェクトそれぞれの３次元表示位置を表す３次元表示位置情報を生成する生成ステップと、
前記生成ステップにより生成された前記表示オブジェクトを、前記３次元表示位置情報に対応する前記３次元表示位置に表示させる表示制御ステップと
を含み、
前記生成ステップは、ユーザの操作に応じて、前記複数の表示オブジェクトのうち、少なくとも１以上の前記表示オブジェクトを選択し、選択した前記表示オブジェクトの３次元表示位置の奥行き成分を変更する
表示制御方法。
【請求項１２】
コンピュータを、
複数の表示オブジェクトと、前記複数の表示オブジェクトそれぞれの３次元表示位置を表す３次元表示位置情報を生成する生成部と、
前記生成部により生成された前記表示オブジェクトを、前記３次元表示位置情報に対応する前記３次元表示位置に表示させる表示制御部と
して機能させるためのプログラムであって、
前記生成部は、ユーザの操作に応じて、前記複数の表示オブジェクトのうち、少なくとも１以上の前記表示オブジェクトを選択し、選択した前記表示オブジェクトの３次元表示位置の奥行き成分を変更する
プログラム。
【発明の詳細な説明】
【技術分野】
【０００１】
本開示は、表示制御装置、表示制御方法、及びプログラムに関し、特に、例えば、画面上に表示された複数の情報に対する視認性を向上させるようにした表示制御装置、表示制御方法、及びプログラムに関する。
【背景技術】
【０００２】
近年、画面を立体的に視認可能な、いわゆる３Ｄテレビジョン受像機が注目されている。
【０００３】
この３Ｄテレビジョン受像機では、動画等のコンテンツを３次元画像として表示するようになっている。一方、EPG(electronic program guide、電子番組表)については、平面的に視認される２次元画像のままで表示している。
【０００４】
なお、EPGの表示については、番組名等を、その番組の人気度に応じた奥行きで立体的に表示する立体表示技術が存在する（例えば、特許文献１参照）。
【先行技術文献】
【特許文献】
【０００５】
【特許文献１】特開２００９−１４７５５０号公報
【発明の概要】
【発明が解決しようとする課題】
【０００６】
上述の３Ｄテレビジョン受像機では、EPGを２次元画像として表示するようにしているので、例えば、複数の情報表示の中から、所望の情報表示（例えば、同じジャンルに属する番組の情報表示）を容易に見つけることができず、非常に視認性の悪いものとなっていた。
【０００７】
また、上述の立体表示技術によれば、情報表示の奥行きに応じて、その情報表示に対応する番組の人気度を容易に認識できるものの、やはり、所望の情報表示を容易に見つけることができず、視認性の悪いものとなっていた。
【０００８】
本開示は、このような状況に鑑みてなされたものであり、画面上に表示された複数の情報に対する視認性を向上させるようにするものである。
【課題を解決するための手段】
【０００９】
本開示の一側面の表示制御装置は、３次元画像の表示を制御する表示制御装置であって、複数の表示オブジェクトと、前記複数の表示オブジェクトそれぞれの３次元表示位置を表す３次元表示位置情報を生成する生成部と、前記生成部により生成された前記表示オブジェクトを、前記３次元表示位置情報に対応する前記３次元表示位置に表示させる表示制御部とを含み、前記生成部は、ユーザの操作に応じて、前記複数の表示オブジェクトのうち、少なくとも１以上の前記表示オブジェクトを選択し、選択した前記表示オブジェクトの３次元表示位置の奥行き成分を変更する表示制御装置である。
【００１０】
前記生成部には、前記ユーザの操作に応じて、前記複数の表示オブジェクトのうち、所定の条件を満たすコンテンツを表す前記表示オブジェクトを選択し、選択した前記表示オブジェクトの３次元表示位置の奥行き成分を変更させることができる。
【００１１】
前記生成部には、前記ユーザの操作に応じて、前記複数の表示オブジェクトのうち、同一のジャンルに属する前記コンテンツを表す前記表示オブジェクトを選択し、選択した前記表示オブジェクトの３次元表示位置の奥行き成分を変更させることができる。
【００１２】
前記生成部には、前記ユーザの操作に応じて、前記複数の表示オブジェクトのうち、同一の時間帯に放送される前記コンテンツを表す前記表示オブジェクトを選択し、選択した前記表示オブジェクトの３次元表示位置の奥行き成分を変更させることができる。
【００１３】
前記生成部には、前記ユーザの操作に応じて、前記複数の表示オブジェクトのうち、コンテンツの状態が同一である前記コンテンツを表す前記表示オブジェクトを選択し、選択した前記表示オブジェクトの３次元表示位置の奥行き成分を変更させることができる。
【００１４】
前記生成部には、前記ユーザの操作に応じて、前記複数の表示オブジェクトのうち、視聴中のコンテンツ、録画中のコンテンツ、又は録画の予約中のコンテンツのいずれかを表す前記表示オブジェクトを選択し、選択した前記表示オブジェクトの３次元表示位置の奥行き成分を変更させることができる。
【００１５】
複数のコンテンツから、ユーザが所望のコンテンツを検索する検索部をさらに設けることができ、前記生成部には、前記検索部の検索結果として得られた前記コンテンツを表す前記表示オブジェクトを選択し、選択した前記表示オブジェクトの３次元表示位置の奥行き成分を変更させることができる。
【００１６】
前記生成部には、前記複数の表示オブジェクトのうち、ユーザの選択操作により選択されている前記表示オブジェクトを選択し、選択した前記表示オブジェクトの３次元表示位置の奥行き成分を変更させることができる。
【００１７】
前記生成部には、ユーザの操作に応じて、前記複数の表示オブジェクトのうち、３次元表示位置の水平成分及び垂直成分が同一の前記表示オブジェクトを選択し、選択した前記表示オブジェクトの３次元表示位置の奥行き成分を変更させることができる。
【００１８】
前記表示制御部には、３次元表示位置の水平成分及び垂直成分が同一である第１及び第２の前記表示オブジェクトのうち、前記第１の表示オブジェクトに、ユーザにより前記第１の表示オブジェクトが指定されたことに対応して表示される前記第２の表示オブジェクトを重畳して表示させることができる。
【００１９】
本開示の一側面の表示制御方法は、３次元画像の表示を制御する表示制御装置の表示制御方法であって、前記表示制御装置による、複数の表示オブジェクトと、前記複数の表示オブジェクトそれぞれの３次元表示位置を表す３次元表示位置情報を生成する生成ステップと、前記生成ステップにより生成された前記表示オブジェクトを、前記３次元表示位置情報に対応する前記３次元表示位置に表示させる表示制御ステップとを含み、前記生成ステップは、ユーザの操作に応じて、前記複数の表示オブジェクトのうち、少なくとも１以上の前記表示オブジェクトを選択し、選択した前記表示オブジェクトの３次元表示位置の奥行き成分を変更する表示制御方法である。
【００２０】
本開示の一側面のプログラムは、コンピュータを、複数の表示オブジェクトと、前記複数の表示オブジェクトそれぞれの３次元表示位置を表す３次元表示位置情報を生成する生成部と、前記生成部により生成された前記表示オブジェクトを、前記３次元表示位置情報に対応する前記３次元表示位置に表示させる表示制御部として機能させるためのプログラムであって、前記生成部は、ユーザの操作に応じて、前記複数の表示オブジェクトのうち、少なくとも１以上の前記表示オブジェクトを選択し、選択した前記表示オブジェクトの３次元表示位置の奥行き成分を変更するプログラムである。
【００２１】
本開示によれば、複数の表示オブジェクトと、複数の表示オブジェクトそれぞれの３次元表示位置を表す３次元表示位置情報が生成され、ユーザの操作に応じて、複数の表示オブジェクトのうち、少なくとも１以上の表示オブジェクトが選択され、選択された表示オブジェクトの３次元表示位置の奥行き成分が変更され、生成された表示オブジェクトが、３次元表示位置情報に対応する３次元表示位置に表示される。
【発明の効果】
【００２２】
本開示によれば、画面上に表示された複数の情報に対する視認性を向上させることが可能となる。
【図面の簡単な説明】
【００２３】
【図１】本実施の形態であるテレビジョン受像機の構成例を示すブロック図である。
【図２】表示画面の一例を示す図である。
【図３】表示画面の他の一例を示す図である。
【図４】立体的に表示するための原理を説明するための第１の図である。
【図５】立体的に表示するための原理を説明するための第２の図である
【図６】立体的に表示するための原理を説明するための第３の図である
【図７】テレビジョン受像機が行う表示処理を説明するためのフローチャートである。
【図８】コンピュータの構成例を示すブロック図である。
【発明を実施するための形態】
【００２４】
以下、本開示における実施の形態（以下、本実施の形態という）について説明する。なお、説明は以下の順序で行う。
１．本実施の形態（情報表示の奥行きを変更して、情報表示により構成されるEPGの視認性を向上させる場合の一例）
２．変形例
【００２５】
＜１．本実施の形態＞
[テレビジョン受像機１の構成例]
図１は、本実施の形態であるテレビジョン受像機１の構成例を示している。
【００２６】
このテレビジョン受像機１は、例えば、リモートコントローラ２からの操作信号に基づいて、立体的に視認可能なEPGを表示させるものである。
【００２７】
テレビジョン受像機１は、チューナ２１、画像処理部２２、表示部２３、受光部２４、制御部２５、記憶部２６、及び生成部２７から構成される。
【００２８】
チューナ２１は、アンテナ等を介して放送信号を受信し、受信した放送信号から、選局されたチャンネル（周波数帯域）に対応する画像信号を抽出し、画像処理部２２に供給する。また、チューナ２１は、受信した放送信号から、その放送信号に含まれるEPGを抽出し、制御部２５に供給する。
【００２９】
画像処理部２２は、チューナ２１からの画像信号を、表示部２３に供給して、対応する画像を表示させる。また、画像処理部２２は、生成部２７から、３次元画像としてのEPGが供給されたことに対応して、チューナ２１からの画像信号に対応する画像に、生成部２７からのEPGを重畳（合成）し、その結果得られる画像を、表示部２３に供給して表示させる。
【００３０】
表示部２３は、例えばLCD（liquid crystal display）等であり、画像処理部２２からの画像を表示する。受光部２４は、リモートコントローラ２からの操作信号を受光し、制御部２５に供給する。
【００３１】
制御部２５は、チューナ２１からのEPGを、記憶部２６に供給して記憶させる。また、制御部２５は、例えば、受光部２４からの操作信号に基づいて、チューナ２１、画像処理部２２、及び生成部２７を制御する。
【００３２】
すなわち、例えば、制御部２５は、受光部２４から、EPGの表示を指示する操作信号が供給されたことに対応して、記憶部２６からEPGを読み出す。そして、制御部２５は、読み出したEPGを、生成部２７に供給する。
【００３３】
記憶部２６は、制御部２５により実行される制御用のプログラム等の他、制御部２５からのEPG等を記憶する。
【００３４】
生成部２７は、制御部２５からの制御にしたがって、制御部２５からのEPGに基づいて、そのEPGを構成する番組表示欄を立体的に視認可能な３次元画像を生成し、画像処理部２２に供給する。
【００３５】
なお、３次元画像は、ユーザ（鑑賞者）の左目に視認させるためのEPGを表す左目用２次元画像と、ユーザの右目に視認させるためのEPGを表す右目用２次元画像とにより構成される。
【００３６】
そして、左目用２次元画像としてのEPGを構成する番組表示欄と、右目用２次元画像としてのEPGを構成する番組表示欄との間には、ユーザにより視認される３次元画像上の番組表示欄が立体的に見えるように視差が設けられている。ここで、視差とは、左目用２次元画像上の番組表示欄の位置と、右目用２次元画像上の番組表示欄の位置とのズレを表す。
【００３７】
なお、３次元画像上の番組表示欄は、番組表示欄に設けられている視差に応じた奥行きで立体的に視認されることとなる。このことは、後述する図４乃至図６を参照して詳述する。
【００３８】
[表示画面の一例]
次に、図２及び図３を参照して、表示部２３に表示されるEPGの一例を説明する。
【００３９】
図２は、同一のジャンルに属するという条件を満たす番組に関する情報を表す番組表示欄を、同一の奥行きで表示させる場合の３次元画像の一例を示している。
【００４０】
図２には、EPGを構成する複数の番組表示欄のうち、同一のジャンル「映画」に属する番組の番組表示欄４１及び番組表示欄４２が、表示部２３の表示画面に同じ奥行きで手前側に表示されている。なお、奥行きは、表示画面の法線方向に定義されるZ軸（図示せず）で定義される。このZ軸では、表示画面側に進む程、奥行きが大きなものとなり、表示画面の手前側に進む程、奥行きが小さなものとなる。
【００４１】
例えば、ユーザが、「映画」のジャンルに属する番組の番組表示欄を、他の番組表示欄と区別して強調して表示させることを所望する場合、ユーザは、以下に記載のように、リモートコントローラ２を操作することとなる。すなわち、例えば、ユーザが、「映画」のジャンルに属する番組の番組表示欄を、他の番組表示欄と区別して強調して表示させるように、リモートコントローラ２を操作する。この場合、リモートコントローラ２は、対応する操作信号を、受光部２４に出射する。受光部２４は、リモートコントローラ２からの操作信号を受光し、制御部２５に供給する。
【００４２】
そして、制御部２５は、受光部２４からの操作信号が供給されたことに対応して、記憶部２６からEPGを読み出し、生成部２７に供給する。また、制御部２５は、生成部２７及び画像処理部２２を制御して、図２に示されるようなEPGとしての３次元画像を、表示部２３に表示させる。
【００４３】
すなわち、例えば、生成部２７は、制御部２５からのEPGに基づいて、番組表示欄４１及び４２の視差の量（視差量）が、他の番組表示欄の視差量よりも大とされた３次元画像（左目用２次元画像及び右目用２次元画像）を生成する。
【００４４】
具体的には、例えば、生成部２７は、制御部２５からのEPGを構成する各番組表示欄を用いて、３次元画像として表示部２３に表示用の各番組表示欄を生成する。また、生成部２７は、生成した各番組表示欄を表示させる３次元表示位置を表す３次元表示位置情報を生成する。なお、この３次元表示位置は、奥行きを表すZ軸の他、表示部２３の表示画面において、水平方向の位置を表すX軸及び垂直方向の位置を表すY軸により定義される。また、生成部２７は、上述のように、リモートコントローラ２がユーザにより操作されたことに対応して、制御部２５からの制御にしたがって、各番組表示欄のうち、強調して表示させるための番組表示欄４１及び４２を選択し、選択した番組表示欄４１及び４２の３次元表示位置情報を変更する。すなわち、例えば、生成部２７は、選択した番組表示欄４１及び４２それぞれの３次元表示位置の奥行きを、他の番組表示欄とは異なる奥行きに変更するように、３次元表示位置情報を変更する。これにより、各番組表示欄の３次元表示位置情報は、各番組表示欄が、図２に示されるように表示される３次元表示位置を表す情報となる。なお、生成部２７は、リモートコントローラ２がユーザにより操作されたときに、表示用の各番組表示欄及び３次元表示位置情報の生成を行い、その後、３次元表示位置情報の変更を行うようにしてもよい。
【００４５】
そして、生成部２７は、表示用に生成した各番組表示欄、各番組表示欄毎に生成した３次元表示位置情報、及び仮想的に決定されたユーザの左右の視点に応じて、左目用２次元画像及び右目用２次元画像をレンダリング（描画）することにより、上述の３次元画像を生成する。
【００４６】
これにより、生成部２７において、番組表示欄４１及び４２の視差量が、他の番組表示欄の視差量よりも大きなものとされた３次元画像が生成される。すなわち、番組表示欄４１及び４２が、他の番組表示欄よりも手前側で視認される３次元画像が生成される。
【００４７】
画像処理部２２は、制御部２５からの制御にしたがって、チューナ２１からの画像信号に対応する画像に、生成部２７からのEPGとしての３次元画像を重畳し、その結果得られる重畳画像を、表示部２３に供給して表示させる。これにより、表示部２３の表示画面には、図２に示されるような立体的なEPGが表示されることとなる。
【００４８】
なお、図２では、番組表示欄４１及び４２を強調して表示させるために、EPGを構成する複数の番組表示欄のうち、番組表示欄４１及び４２の奥行きを、番組表示欄４１及び４２以外の番組表示欄の奥行きとは異なる同一の奥行きで表示させるようにしている。
【００４９】
しかしながら、番組表示欄４１及び４２を強調して表示させる方法としては、これに限定されない。すなわち、例えば、番組表示欄４１及び４２の奥行きを、番組表示欄４１及び４２以外の番組表示欄の奥行きとは異なるようにするとともに、番組表示欄４１と番組表示欄４２とを、それぞれ異なる奥行きにして表示させるようにしてもよい。
【００５０】
その他、例えば、番組表示欄４１及び４２それぞれの周囲に存在する第１の番組表示欄の奥行きを、EPGを構成する複数の番組表示欄のうち、第１の番組表示欄以外の番組表示欄（番組表示欄４１及び４２を含む）とは異なる奥行きにして表示させて、番組表示欄４１及び４２を強調して表示させるようにすることができる。
【００５１】
次に、図３は、番組の視聴、録画、又は録画の予約の状態に応じて、異なる奥行きで番組表示欄を表示する場合のEPGの一例を示している。
【００５２】
図３には、EPGを構成する複数の番組表示欄の他、ユーザにより操作される操作メニューの一覧を表すメニュー表示６１、視聴中の番組の内容を表すサムネイル画像６２、録画中の番組の内容を表すサムネイル画像６３、及び録画の予約が行われている番組の内容を表すサムネイル画像６４が、表示部２３の表示画面に表示されている。
【００５３】
なお、メニュー表示６１、サムネイル画像６２，６３，６４の順序で奥行きが大きなものとなっている。したがって、表示部２３の表示画面において、メニュー表示６１、サムネイル画像６２，６３，６４は、その順序で、手前側に存在するように視認される。
【００５４】
また、表示部２３の表示画面において、サムネイル画像６２，６３，６４は、その順序で重ねて表示される。
【００５５】
例えば、表示部２３の表示画面にメニュー表示６１が表示されている場合、ユーザが、メニュー表示６１上の「録画」を指定するようにリモートコントローラ２を操作した場合、リモートコントローラ２は、対応する操作信号を、受光部２４に出射する。受光部２４は、リモートコントローラ２からの操作信号を受光し、制御部２５に供給する。
【００５６】
そして、制御部２５は、受光部２４から操作信号が供給されたことに対応して、記憶部２６からEPGを読み出し、生成部２７に供給する。制御部２５は、生成部２７及び画像処理部２２を制御して、図２に示されるような３次元画像を生成する場合と同様にして、図３に示されるようなEPGとしての３次元画像を、表示部２３に表示させる。
【００５７】
すなわち、例えば、生成部２７は、制御部２５からの制御にしたがって、メニュー表示６１、サムネイル画像６２，６３，６４それぞれの視差量が、メニュー表示６１、サムネイル画像６２，６３，６４の順序で奥行きが大きくなるように視認される視差量とされた３次元画像を生成する。
【００５８】
そして、生成部２７は、生成したEPGとしての３次元画像を、画像処理部２２に供給する。
【００５９】
画像処理部２２は、制御部２５からの制御にしたがって、チューナ２１からの画像信号に対応する画像に、生成部２７からのEPGとしての３次元画像を重畳し、その結果得られる重畳画像を、表示部２３に供給して表示させる。これにより、表示部２３の表示画面には、図３に示されるような立体的なEPGが表示されることとなる。
【００６０】
次に、図４乃至図６を参照して、生成部２７が生成する３次元画像により、番組表示欄やサムネイル画像を、立体的に視認可能に表示できる原理について説明する。
【００６１】
なお、３次元画像８１とは、上述したように、例えば、図４に示されるように、左目用２次元画像８１L及び右目用２次元画像８１Rにより構成されており、左目用２次元画像８１L上の物体８１Laと右目用２次元画像８１R上の物体８１Raとの間には、ユーザ（鑑賞者）により視認される３次元画像８１上の物体８１a(図５及び図６)が立体的に見えるように視差が設けられている。ここで、視差とは、図４に示されるように、左目用２次元画像８１L上の物体８１Laの位置と、右目用２次元画像８１R上の物体８１Raの位置とのズレを表す。
【００６２】
また、３次元画像８１をユーザに提示する場合には、例えば、図５に示されるように、左目用２次元画像８１Lをユーザの左目のみで視認できるように提示し、右目用２次元画像８１Rをユーザの右目のみで視認できるように提示するようにする。
【００６３】
ユーザは、図６に示されるように、左目用２次元画像８１Lと右目用２次元画像８１Rに設けられた視差の量（視差量）に対応する輻輳角に応じて、３次元画像８１上の物体８１aが、実空間上に立体的に存在するかのように視認することができる。
【００６４】
なお、３次元画像８１が静止画や動画像である場合、左目用２次元画像８１L及び右目用２次元画像８１Rは、例えば、物体８１aを異なる２つの視点から撮像することにより生成される。
【００６５】
また、３次元画像８１が、コンピュータグラフィックス等により生成されるものである場合、仮想的に決定された２つの視点に応じて、左目用２次元画像８１L及び右目用２次元画像８１Rのレンダリングが行われて生成される。本実施の形態において、生成部２７は、例えば、仮想的に決定された２つの視点に応じたレンダリングにより、３次元画像を生成するようにしている。
【００６６】
なお、３次元画像は、フレームシーケンシャル方式や偏光方式等の、表示部２３に対応した方式で表示される。
【００６７】
[テレビジョン受像機１の動作説明]
次に、図７のフローチャートを参照して、テレビジョン受像機１が行う表示処理について説明する。
【００６８】
この表示処理は、例えば、テレビジョン受像機１の電源がオンされたときに開始される。なお、図７では、図２に示されるようなEPGを表示する場合について説明する。
【００６９】
ステップＳ１において、チューナ２１は、アンテナ等を介して放送信号を受信し、受信した放送信号から、選局されたチャンネル（周波数帯域）に対応する画像信号を抽出し、画像処理部２２に供給する。
【００７０】
ステップＳ２において、画像処理部２２は、チューナ２１からの画像信号を、表示部２３に供給して、対応する画像を表示させる。
【００７１】
ステップＳ３において、制御部２５は、受光部２４からの操作信号に応じて、表示部２３の表示画面に、所定の番組表示欄が強調されたEPGを表示させるための表示操作が行われたか否かを判定する。
【００７２】
ステップＳ３において、制御部２５は、受光部２４からの操作信号に応じて、表示部２３の表示画面に、所定の番組表示欄が強調されたEPGを表示させるための表示操作が行われていないと判定した場合、処理をステップＳ１に戻し、それ以降同様の処理が繰り返される。
【００７３】
また、ステップＳ３において、制御部２５は、受光部２４からの操作信号に応じて、表示部２３の表示画面に、所定の番組表示欄が強調されたEPGを表示させるための表示操作が行われたと判定した場合、処理をステップＳ４に進める。
【００７４】
ステップＳ４では、制御部２５は、記憶部２６からEPGを読み出し、生成部２７に供給する。
【００７５】
ステップＳ５では、生成部２７は、制御部２５からの制御にしたがって、制御部２５からのEPGに基づいて、そのEPGを構成する番組表示欄を立体的に視認可能な３次元画像を生成し、画像処理部２２に供給する。
【００７６】
すなわち、例えば、生成部２７は、所定の番組表示欄としての番組表示欄４１及び４２（図２）の視差量が、番組表示欄４１及び４２以外の番組表示欄の視差量よりも大とされた３次元画像を生成し、画像処理部２２に供給する。
【００７７】
生成部２７は、生成した３次元画像を、画像処理部２２に供給する。
【００７８】
ステップＳ６では、画像処理部２２は、制御部２５からの制御にしたがって、チューナ２１からの画像信号に対応する画像に、生成部２７からのEPGとしての３次元画像を重畳し、その結果得られた重畳画像を、表示部２３に供給して表示させる。以上で表示処理は終了される。
【００７９】
以上説明したように、表示処理によれば、例えば、EPGを構成する複数の番組表示欄のうち、所望の番組表示欄を、他の番組表示欄とは異なる奥行きで強調して表示するようにした。
【００８０】
このため、EPGを構成する番組表示欄に対する視認性が向上するため、ユーザは、所望の番組表示欄を迅速に把握することが可能となる。
【００８１】
＜２．変形例＞
本実施の形態では、図２に示したように、同一のジャンルに属する番組の番組表示欄を同一の奥行きで表示させるようにしたが、その他、例えば、同一の時間帯に放送される番組の番組表示欄を同一の奥行きで表示させるようにしてもよい。
【００８２】
また、例えば、制御部２５が、複数の番組の中から、ユーザにより入力されるキーワードに適合する番組を検索するように構成して、制御部２５の検索結果として得られた番組の番組表示欄を、同一の奥行きで表示させるようにすることができる。
【００８３】
その他、例えば、ユーザの指定操作により、番組表示欄が指定されたことに対応して、その番組表示欄に対応する番組の詳細情報を、番組表示欄の手前に重ねて表示するようにしてもよい。
【００８４】
これにより、番組表示欄と、対応する番組の詳細情報との奥行きに応じて、番組の詳細情報が、番組表示欄を指定したことに対応して表示されたものであることを容易に認識することが可能となる。このため、番組表示欄と詳細情報との関係を、直感的に認識しやすくなる。
【００８５】
また、例えば、EPGを構成する複数の番組表示欄のうち、ユーザにより選択されている番組表示欄を、他の番組表示欄とは異なる奥行きで表示するようにしてもよい。
【００８６】
さらに、例えば、EPGを構成する各番組表示欄を、すべて同じ奥行きで手前側に表示させるようにすれば、番組と、番組に重畳されたEPGとを明確に区別することができ、EPGに対する視認性を向上させることができる。
【００８７】
本実施の形態では、生成部２７が、３次元画像としてのEPGを生成するようにしたが、生成対象はEPGに限定されない。
【００８８】
すなわち、例えば、EPGを３次元画像として生成する他、番組、楽曲、動画、又は静止画等のコンテンツに関する情報を表す情報表示を含む３次元画像を生成することができる。具体的には、例えば、楽曲に関するタイトルを情報表示として含むリストを、３次元画像として生成することができる。
【００８９】
本実施の形態では、テレビジョン受像機１が、EPGを３次元画像として生成して表示させることを説明したが、本技術は、テレビジョン受像機１の他、パーソナルコンピュータや携帯端末などの、３次元画像を表示させる電子機器であれば、どのようなものでも適用できる。
【００９０】
なお、本技術は以下のような構成もとることができる。
（１）３次元画像の表示を制御する表示制御装置において、複数の表示オブジェクトと、前記複数の表示オブジェクトそれぞれの３次元表示位置を表す３次元表示位置情報を生成する生成部と、前記生成部により生成された前記表示オブジェクトを、前記３次元表示位置情報に対応する前記３次元表示位置に表示させる表示制御部とを含み、前記生成部は、ユーザの操作に応じて、前記複数の表示オブジェクトのうち、少なくとも１以上の前記表示オブジェクトを選択し、選択した前記表示オブジェクトの３次元表示位置の奥行き成分を変更する表示制御装置。
（２）前記生成部は、前記ユーザの操作に応じて、前記複数の表示オブジェクトのうち、所定の条件を満たすコンテンツを表す前記表示オブジェクトを選択し、選択した前記表示オブジェクトの３次元表示位置の奥行き成分を変更する前記（１）に記載の表示制御装置。
（３）前記生成部は、前記ユーザの操作に応じて、前記複数の表示オブジェクトのうち、同一のジャンルに属する前記コンテンツを表す前記表示オブジェクトを選択し、選択した前記表示オブジェクトの３次元表示位置の奥行き成分を変更する前記（２）に記載の表示制御装置。
（４）前記生成部は、前記ユーザの操作に応じて、前記複数の表示オブジェクトのうち、同一の時間帯に放送される前記コンテンツを表す前記表示オブジェクトを選択し、選択した前記表示オブジェクトの３次元表示位置の奥行き成分を変更する前記（２）に記載の表示制御装置。
（５）前記生成部は、前記ユーザの操作に応じて、前記複数の表示オブジェクトのうち、コンテンツの状態が同一である前記コンテンツを表す前記表示オブジェクトを選択し、選択した前記表示オブジェクトの３次元表示位置の奥行き成分を変更する前記（２）に記載の表示制御装置。
（６）前記生成部は、前記ユーザの操作に応じて、前記複数の表示オブジェクトのうち、視聴中のコンテンツ、録画中のコンテンツ、又は録画の予約中のコンテンツのいずれかを表す前記表示オブジェクトを選択し、選択した前記表示オブジェクトの３次元表示位置の奥行き成分を変更する前記（５）に記載の表示制御装置。
（７）複数のコンテンツから、ユーザが所望のコンテンツを検索する検索部をさらに含み、前記生成部は、前記検索部の検索結果として得られた前記コンテンツを表す前記表示オブジェクトを選択し、選択した前記表示オブジェクトの３次元表示位置の奥行き成分を変更する前記（２）に記載の表示制御装置。
（８）前記生成部は、前記複数の表示オブジェクトのうち、ユーザの選択操作により選択されている前記表示オブジェクトを選択し、選択した前記表示オブジェクトの３次元表示位置の奥行き成分を変更する前記（１）乃至（７）に記載の表示制御装置。
（９）前記生成部は、ユーザの操作に応じて、前記複数の表示オブジェクトのうち、３次元表示位置の水平成分及び垂直成分が同一の前記表示オブジェクトを選択し、選択した前記表示オブジェクトの３次元表示位置の奥行き成分を変更する前記（１）に記載の表示制御装置。
（１０）前記表示制御部は、３次元表示位置の水平成分及び垂直成分が同一である第１及び第２の前記表示オブジェクトのうち、前記第１の表示オブジェクトに、ユーザにより前記第１の表示オブジェクトが指定されたことに対応して表示される前記第２の表示オブジェクトを重畳して表示させる前記（９）に記載の表示制御装置。
【００９１】
ところで、上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、又は、各種のプログラムをインストールすることで、各種の機能を実行することが可能な、例えば汎用のコンピュータなどに、プログラム記録媒体からインストールされる。
【００９２】
[コンピュータの構成例]
図８は、上述した一連の処理をプログラムにより実行するコンピュータのハードウェアの構成例を示すブロック図である。
【００９３】
CPU（Central Processing Unit）１０１は、ROM（Read Only Memory）１０２、又は記憶部１０８に記憶されているプログラムに従って各種の処理を実行する。RAM（Random Access Memory）１０３には、CPU１０１が実行するプログラムやデータ等が適宜記憶される。これらのCPU１０１、ROM１０２、及びRAM１０３は、バス１０４により相互に接続されている。
【００９４】
CPU１０１にはまた、バス１０４を介して入出力インタフェース１０５が接続されている。入出力インタフェース１０５には、キーボード、マウス、マイクロホン等よりなる入力部１０６、ディスプレイ、スピーカ等よりなる出力部１０７が接続されている。CPU１０１は、入力部１０６から入力される指令に対応して各種の処理を実行する。そして、CPU１０１は、処理の結果を出力部１０７に出力する。
【００９５】
入出力インタフェース１０５に接続されている記憶部１０８は、例えばハードディスクからなり、CPU１０１が実行するプログラムや各種のデータを記憶する。通信部１０９は、インターネットやローカルエリアネットワーク等のネットワークを介して外部の装置と通信する。
【００９６】
また、通信部１０９を介してプログラムを取得し、記憶部１０８に記憶してもよい。
【００９７】
入出力インタフェース１０５に接続されているドライブ１１０は、磁気ディスク、光ディスク、光磁気ディスク、或いは半導体メモリ等のリムーバブルメディア１１１が装着されたとき、それらを駆動し、そこに記録されているプログラムやデータ等を取得する。取得されたプログラムやデータは、必要に応じて記憶部１０８に転送され、記憶される。
【００９８】
コンピュータにインストールされ、コンピュータによって実行可能な状態とされるプログラムを記録（記憶）する記録媒体は、図８に示すように、磁気ディスク（フレキシブルディスクを含む）、光ディスク（CD-ROM(Compact Disc-Read Only Memory),DVD(Digital Versatile Disc)を含む）、光磁気ディスク（ＭＤ（Mini-Disc）を含む）、もしくは半導体メモリ等よりなるパッケージメディアであるリムーバブルメディア１１１、又は、プログラムが一時的もしくは永続的に格納されるROM１０２や、記憶部１０８を構成するハードディスク等により構成される。記録媒体へのプログラムの記録は、必要に応じてルータ、モデム等のインタフェースである通信部１０９を介して、ローカルエリアネットワーク、インターネット、デジタル衛星放送といった、有線又は無線の通信媒体を利用して行われる。
【００９９】
なお、本明細書において、上述した一連の処理を記述するステップは、記載された順序に沿って時系列的に行われる処理はもちろん、必ずしも時系列的に処理されなくとも、並列的あるいは個別に実行される処理をも含むものである。
【０１００】
なお、本開示は、本実施の形態に限定されるものではなく、本開示の要旨を逸脱しない範囲において種々の変更が可能である。
【符号の説明】
【０１０１】
１  テレビジョン受像機，  ２１  チューナ，  ２２  画像処理部，  ２３  表示部，  ２４  受光部，  ２５  制御部，  ２６  記憶部，  ２７  生成部
【図１】
2013003202.tif 000003
【図２】
2013003202.tif 000004
【図３】
2013003202.tif 000005
【図４】
2013003202.tif 000006
【図５】
2013003202.tif 000007
【図６】
2013003202.tif 000008
【図７】
2013003202.tif 000009
【図８】
2013003202.tif 000010